(57)【要約】【課題】同軸ケーブルに装着される同軸コネクタ装置であって、厚み寸法の低減を図ることができ、かつ、シグナルコンタクト部材と同軸ケーブルの中心導体との電気的接続の信頼性を向上させることができるものを提供する。【解決手段】同軸ケーブル４１の中心導体４２に電気的に接続されるシグナルコンタクト部材１１に、中心導体接続部２５と絶縁体収容部２７とが設けられており、中心導体接続部２５が、内部絶縁体４３が残留せしめられた先端部を有した中心導体４２を同軸ケーブル４１の厚み方向に直交する方向において挟持する一対の可動当接部分２３を有しており、絶縁体収容部２７が、一対の可動当接部分２３により挟持された中心導体４２の先端部に残留せしめられた内部絶縁体４３を収容する。【選択図】図１３
2015125963.tif 000002
【特許請求の範囲】
【請求項１】
中心導体，該中心導体を覆う内部絶縁体，該内部絶縁体を包囲する外側導体及び該外側導体を覆う表皮絶縁体を有した同軸ケーブルの中心導体を機械的に挟持することにより該中心導体との接続がなされる中心導体接続部、及び、該中心導体接続部から第１の方向に伸びて外部のシグナルコンタクト部に接触接続される接触係合部を有したシグナルコンタクト部材と、
外部のグラウンドコンタクト部に嵌合接続される環状嵌合部と該環状嵌合部から屈曲可能に伸びて上記同軸ケーブルの外側導体との接続がなされるシェル部とを有したグラウンドコンタクト部材と、
上記シグナルコンタクト部材と上記グラウンドコンタクト部材とを相互絶縁状態をもって支持する絶縁ハウジング部材と、
を備えて構成され、
上記シグナルコンタクト部材が、上記グラウンドコンタクト部材の環状嵌合部の内側に配されて、該シグナルコンタクト部材に上記内部絶縁体が先端部に残留せしめられて剥き出された上記中心導体が上記第１の方向に直交する第２の方向に沿って載置され、
上記シグナルコンタクト部材における上記中心導体接続部の近傍に、上記中心導体の先端部に残留せしめられた内部絶縁体を収容する絶縁体収容部が設けられており、
上記シグナルコンタクト部材の中心導体接続部が、上記内部絶縁体が残留せしめられた先端部を有した上記中心導体を上記第１の方向及び上記第２の方向の両者に直交する第３の方向において挟持する一対の可動当接部分を有し、
上記グラウンドコンタクト部材のシェル部に、該シェル部が上記環状嵌合部に向けて屈曲せしめられるとき、上記一対の可動当接部分に押圧作用を及ぼして、該一対の可動当接部分に相互近接する移動を生じさせる一対の押圧部分が設けられている、
ことを特徴とする同軸コネクタ装置。
【請求項２】
上記絶縁ハウジング部材が、上記グラウンドコンタクト部材の環状嵌合部の内側において上記シグナルコンタクト部材の接触係合部を包囲する基部を有することを特徴とする請求項１記載の同軸コネクタ装置。
【請求項３】
上記絶縁ハウジング部材に上記シグナルコンタクト部材の中心導体接続部が有する一対の可動当接部分を挟んで相互対向する一対の可動部が設けられており、上記グラウンドコンタクト部材のシェル部が上記環状嵌合部に向かって屈曲せしめられるとき、該シェル部に設けられた一対の押圧部分が上記一対の可動部に夫々係合して該一対の可動部を押圧し、上記一対の可動当接部分に上記一対の可動部を介して押圧作用を及ぼすことを特徴とする請求項１記載の同軸コネクタ装置。
【請求項４】
上記シェル部に設けられた一対の押圧部分が上記一対の可動部に夫々係合して該一対の可動部を押圧するとき、該一対の可動部が上記一対の可動当接部分に夫々当接して相互近接する移動を生じ、それにより上記一対の可動当接部分に相互近接する移動を生じさせることを特徴とする請求項３記載の同軸コネクタ装置。
【請求項５】
上記一対の可動部の夫々が、弾性を備えており、上記一対の可動当接部分に夫々当接して相互近接する移動を生じるとき、弾性変形することを特徴とする請求項４記載の同軸コネクタ装置。
【請求項６】
上記一対の可動当接部分が、上記シグナルコンタクト部材における上記絶縁体収容部から上記第２の方向に沿って伸びていることを特徴とする請求項１記載の同軸コネクタ装置。
【請求項７】
上記一対の可動当接部分が、上記シグナルコンタクト部材に上記内部絶縁体が先端部に残留せしめられて剥き出された上記中心導体が載置されたとき該中心導体を挟むことになる位置に配されて相互対向する一対の弾性舌片により形成されていて、相互近接する移動を生じるとき、上記一対の弾性舌片の夫々が弾性変形することを特徴とする請求項６記載の同軸コネクタ装置。
【発明の詳細な説明】
【技術分野】
【０００１】
本願の特許請求の範囲に記載された発明は、中心導体とそれを内部絶縁体を介して包囲する外側導体とが表皮絶縁体により被覆されて成る同軸ケーブルの中心導体及び外側導体に夫々接続される、互いに絶縁されたシグナルコンタクト部材及びグラウンドコンタクト部材を備えて成り、他のコネクタ装置である相手方コネクタ装置に嵌合連結される同軸コネクタ装置に関する。
【背景技術】
【０００２】
複数の電気部品，電気装置あるいは電子機器間等における高周波信号の伝送には、外部ノイズの影響を受け難い信号伝送路を形成する、中心導体とそれを内部絶縁体を介して包囲する外側導体とが表皮絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体に接続されるシグナルコンタクト部材と同軸ケーブルの外側導体に接続されるグラウンドコンタクト部材とを備えた同軸コネクタ装置が同軸ケーブルの一端に装着され、その同軸コネクタ装置が、例えば、回路基板において扱われる高周波信号が供給される中心シグナルコンタクトと中心シグナルコンタクトを包囲して配されてグラウンド電位が与えられる環状グラウンドコンタクトとを備えて回路基板に取り付けられた相手方コネクタ装置に連結されるようにされる。このような同軸コネクタ装置の相手方コネクタ装置との連結は、例えば、同軸コネクタ装置のグラウンドコンタクト部材が相手方コネクタ装置の環状グラウンドコンタクトに嵌合接続されるもとで、同軸コネクタ装置のシグナルコンタクト部材が相手方コネクタ装置の中心シグナルコンタクトに接触接続される状態がとられて行われる。
【０００４】
斯かる同軸コネクタ装置の相手方コネクタ装置との連結が行われるにあたっては、回路基板に取り付けられた相手方コネクタ装置が、例えば、それにおける中心シグナルコンタクトと環状グラウンドコンタクトとを回路基板における部品搭載面の上方に向かわせるものとされ、その相手方コネクタ装置に対して、同軸ケーブルの一端に装着された同軸コネクタ装置が、回路基板における部品搭載面の上方からその部品搭載面に向かう方向をもって係合せしめられて、同軸コネクタ装置のグラウンドコンタクト部材が相手方コネクタ装置の環状グラウンドコンタクトに嵌合接続されるとともに、同軸コネクタ装置のシグナルコンタクト部材が相手方コネクタ装置の中心シグナルコンタクトに接触接続される。従って、相手方コネクタ装置が取り付けられた回路基板上において、同軸コネクタ装置は、回路基板における部品搭載面から突出するものとなる。
【０００５】
従来、同軸コネクタ装置として様々なものが知られているが、それらのうちの一つとして、同軸ケーブルの一端に装着されるにあたり、同軸ケーブルの中心導体とシグナルコンタクト部材との電気的接続についての信頼性を高めることを意図するものとされた同軸コネクタ装置が提案されている（例えば、特許文献１あるいは特許文献２参照。）。
【０００６】
特許文献１に開示されている同軸コネクタ装置（同軸コネクタ(1))は、導体載置部(21)と導体挟持アーム(22)とから成る中心導体接続部及び中心導体接続部から伸びる一対の接触係合部（接触片(24)）を有したシグナルコンタクト部材（内部コンタクト(20)）と、環状嵌合部（嵌合部(33)）とその環状嵌合部から伸びるシェル部（シェルカバー部(32)）とを有したグラウンドコンタクト部材（外部コンタクト(30)）と、グラウンドコンタクト部材の環状嵌合部の内側に配されるコンタクト支持部（前方部(10b))及びそれから伸びる絶縁折曲げ部（カバー部(14)）を有してシグナルコンタクト部材とグラウンドコンタクト部材とを相互に絶縁される状態をもって支持する絶縁ハウジング部材（ハウジング(10)）とを備えて構成されている。そして、同軸ケーブルの端部に装着されるにあたっては、シグナルコンタクト部材の中心導体接続部が絶縁ハウジング部材のコンタクト支持部によって支持されたもとで、中心導体接続部における導体載置部に同軸ケーブル(50)の中心導体（内部導体(51)）が剥き出された状態をもって載置され、グラウンドコンタクト部材のシェル部が絶縁ハウジング部材の絶縁折曲げ部を伴って絶縁ハウジング部材のコンタクト支持部に向けて屈曲せしめられるとき、ハウジング部材の絶縁折曲げ部によって中心導体接続部における導体挟持アームが導体載置部に向けて押圧される。それにより、導体載置部に載置された同軸ケーブルの中心導体が導体載置部と導体挟持アームとにより挟持されて、同軸ケーブルの中心導体とシグナルコンタクト部材とが電気的接続がなされた状態におかれる。
【０００７】
斯かる特許文献１に開示されている同軸コネクタ装置にあっては、シグナルコンタクト部材の中心導体接続部における導体載置部と導体挟持アームとが同軸ケーブルの中心導体に対する直接的な挟持を行い、その挟持の方向は、同軸コネクタ装置の厚み方向、即ち、同軸コネクタ装置が回路基板における部品搭載面に取り付けられた相手方コネクタ装置に連結されたとき回路基板における部品搭載面から突出する方向とされる。
【０００８】
また、特許文献２に開示されている同軸コネクタ装置（同軸ケーブルのコネクタ(10)) は、ベース部(12), 一対の弾性挟持片(14)から成る中心導体接続部及びベース部から伸びる一対の接触係合部（接合部材(13)）を有したシグナルコンタクト部材（接続端子(11)）と、環状嵌合部（カバー本体(31)）とその環状嵌合部から伸びるシェル部（カバー折り曲げ部(32)）とを有したグラウンドコンタクト部材（カバー(30)）と、グラウンドコンタクト部材の環状嵌合部の内側に配されるコンタクト支持部（絶縁本体(21)）及び一対の凸部(23)が設けられてコンタクト支持部から伸びる絶縁折曲げ部（絶縁折り曲げ部(22)）を有してシグナルコンタクト部材とグラウンドコンタクト部材とを相互に絶縁される状態をもって支持する絶縁ハウジング部材（絶縁部材(20)）とを備えて構成されている。そして、同軸ケーブルの端部に装着されるにあたっては、シグナルコンタクト部材のベース部及び中心導体接続部が絶縁ハウジング部材のコンタクト支持部によって支持されたもとで、ベース部に同軸ケーブル(40)の中心導体（内導体(44)）が剥き出された状態をもって載置され、グラウンドコンタクト部材のシェル部が絶縁ハウジング部材の絶縁折曲げ部を伴って絶縁ハウジング部材のコンタクト支持部に向けて屈曲せしめられるとき、ハウジング部材の絶縁折曲げ部に設けられた一対の凸部によって中心導体接続部を成す一対の弾性挟持片が夫々押圧されて相互に近接せしめられる。それにより、ベース部に載置された同軸ケーブルの中心導体が一対の弾性挟持片により挟持されて、同軸ケーブルの中心導体とシグナルコンタクト部材とが電気的接続がなされた状態におかれる。
【０００９】
その際、シグナルコンタクト部材の中心導体接続部を成す一対の弾性挟持片が同軸ケーブルの中心導体に対する直接的な挟持を行い、その挟持の方向は、同軸コネクタ装置の厚み方向に直交する方向、即ち、同軸コネクタ装置が回路基板における部品搭載面に取り付けられた相手方コネクタ装置に連結されたとき回路基板における部品搭載面に沿う方向とされる。
【先行技術文献】
【特許文献】
【００１０】
【特許文献１】特開２０１１−４０２６２号公報（段落００１７〜段落００３４及び図１〜図７）
【特許文献２】実用新案登録第３１６５９０８号公報（段落００１５〜段落００２２及び図１〜図６）
【発明の概要】
【発明が解決しようとする課題】
【００１１】
上述の特許文献１に開示された従来提案されている同軸コネクタ装置にあっては、同軸ケーブルの端部に装着されるにあたり、シグナルコンタクト部材の中心導体接続部における導体載置部と導体挟持アームとが剥き出された同軸ケーブルの中心導体を挟持する方向が同軸コネクタ装置の厚み方向とされ、導体挟持アームが導体載置部に対して同軸コネクタ装置の厚み方向に変位するものとされるので、当該同軸コネクタ装置についてその厚み寸法を低減させる低背化を図ることが困難とされる。その結果、同軸コネクタ装置が、回路基板における部品搭載面に取り付けられた相手方コネクタ装置に連結されたとき、その回路基板における部品搭載面からの突出量が比較的大となってしまうという不都合がもたらされる。
【００１２】
それに加えて、通常、同軸ケーブルの中心導体は、多数の細導線が撚り合わされて成る撚線とされるが、特許文献１に開示された従来提案されている同軸コネクタ装置においては、シグナルコンタクト部材の中心導体接続部における導体載置部と導体挟持アームとが剥き出された同軸ケーブルの中心導体を直接的に挟持するので、その際に撚線とされた中心導体が、導体載置部と導体挟持アームとから受ける押圧力によって撚りが戻された多数の細導線に散けたものとされてしまい、その結果、同軸ケーブルの中心導体とシグナルコンタクト部材との電気的接続についての信頼性が損なわれてしまう虞がある。
【００１３】
また、特許文献２に開示された従来提案されている同軸コネクタ装置にあっては、同軸ケーブルの端部に装着されるにあたり、シグナルコンタクト部材の中心導体接続部を成す一対の弾性挟持片が剥き出された同軸ケーブルの中心導体を挟持する方向が同軸コネクタ装置の厚み方向に直交する方向とされ、一対の弾性挟持片が同軸コネクタ装置の厚み方向に直交する方向に相互近接あるいは離隔するものとされるので、当該同軸コネクタ装置についてその厚み寸法を低減させる低背化を図ることが比較的容易とされる。しかしながら、通常、同軸ケーブルの中心導体は、多数の細導線が撚り合わされて成る撚線とされるところ、特許文献２に開示された従来提案されている同軸コネクタ装置においては、シグナルコンタクト部材の中心導体接続部を成す一対の弾性挟持片が剥き出された同軸ケーブルの中心導体を直接的に挟持するので、その際に撚線とされた中心導体が、一対の弾性挟持片から受ける押圧力によって撚りが戻された多数の細導線に散けたものとされてしまい、その結果、同軸ケーブルの中心導体とシグナルコンタクト部材との電気的接続についての信頼性が損なわれてしまう虞がある。
【００１４】
斯かる点に鑑み、本願の特許請求の範囲に記載された発明は、同軸ケーブルの中心導体に接続されるシグナルコンタクト部材と、同軸ケーブルの外側導体に接続されるグラウンドコンタクト部材と、コンタクト部材とグラウンドコンタクト部材とを相互絶縁状態をもって支持する絶縁ハウジング部材とを備えて構成され、回路基板における部品搭載面に取り付けられた相手方コネクタ装置に連結されたとき回路基板における部品搭載面から突出する方向の寸法となる厚み寸法を低減させる低背化を図ることが容易とされ、しかも、同軸ケーブルの中心導体とシグナルコンタクト部材との電気的接続についての信頼性を向上させることができる同軸コネクタ装置を提供する。
【課題を解決するための手段】
【００１５】
本願の特許請求の範囲における請求項１から請求項７までのいずれかに記載された発明に係る同軸コネクタ装置（以下、本願発明に係る同軸コネクタ装置という。）は、中心導体，中心導体を覆う内部絶縁体，内部絶縁体を包囲する外側導体及び外側導体を覆う表皮絶縁体を有した同軸ケーブルの中心導体を機械的に挟持することにより中心導体との接続がなされる中心導体接続部、及び、中心導体接続部から第１の方向に伸びて外部のシグナルコンタクト部に接触接続される接触係合部を有したシグナルコンタクト部材と、外部のグラウンドコンタクト部に嵌合接続される環状嵌合部とその環状嵌合部から屈曲可能に伸びて同軸ケーブルの外側導体との接続がなされるシェル部とを有したグラウンドコンタクト部材と、シグナルコンタクト部材とグラウンドコンタクト部材とを相互絶縁状態をもって支持する絶縁ハウジング部材と、を備えて構成される。そして、シグナルコンタクト部材がグラウンドコンタクト部材の環状嵌合部の内側に配されて、そのシグナルコンタクト部材に、内部絶縁体が先端部に残留せしめられて剥き出された同軸ケーブルの中心導体が、第１の方向に直交する第２の方向に沿って載置され、シグナルコンタクト部材における中心導体接続部の近傍に、中心導体の先端部に残留せしめられた内部絶縁体を収容する絶縁体収容部が設けられており、シグナルコンタクト部材の中心導体接続部が、内部絶縁体が残留せしめられた先端部を有した中心導体を第１の方向及び上記第２の方向の両者に直交する第３の方向において挟持する一対の可動当接部分を有していて、グラウンドコンタクト部材のシェル部に、それが環状嵌合部に向けて屈曲せしめられるとき、一対の可動当接部分に押圧作用を及ぼして、それらに相互近接する移動を生じさせる一対の押圧部分が設けられていることを特徴とするものとされる。
【００１６】
上述の本願発明に係る同軸コネクタ装置は、例えば、実際の使用状態におかれる際には、シグナルコンタクト部材が同軸ケーブルの中心導体に電気的に接続されるとともにグラウンドコンタクト部材が同軸ケーブルの外側導体に電気的に接続されて同軸ケーブルの端部に装着されたもとで、回路基板における部品搭載面に取り付けられた相手方コネクタ装置に連結される。本願発明に係る同軸コネクタ装置が斯かる使用状態におかれたもとにあっては、第２の方向及び第３の方向が、各々が回路基板における部品搭載面に沿い、かつ、互いに直交する方向とされ、また、第１の方向が回路基板における部品搭載面に直交する方向とされる。
【００１７】
そして、シグナルコンタクト部材が同軸ケーブルの中心導体に電気的に接続されるにあたっては、シグナルコンタクト部材の中心導体接続部が同軸ケーブルの中心導体を機械的に挟持する。その際には、中心導体接続部から第１の方向に伸びる接触係合部を有してグラウンドコンタクト部材の環状嵌合部の内側に配されたシグナルコンタクト部材に、内部絶縁体が先端部に残留せしめられて剥き出された同軸ケーブルの中心導体が、その先端部に残留せしめられた内部絶縁体がシグナルコンタクト部材に設けられた絶縁体収容部に収容される状態をもって第１の方向に直交する第２の方向に沿って載置される。続いて、グラウンドコンタクト部材のシェル部が環状嵌合部に向かって屈曲せしめられるとき、シェル部に設けられた一対の押圧部分が、シグナルコンタクト部材の中心導体接続部が有する一対の可動当接部分に押圧作用を及ぼして、それらに相互近接する移動を生じさせ、それにより、一対の可動当接部分が、先端部に残留せしめられた内部絶縁体が絶縁体収容部に収容された同軸ケーブルの中心導体を第１の方向及び上記第２の方向の両者に直交する第３の方向において挟持する。その結果、シグナルコンタクト部材の中心導体接続部が同軸ケーブルの中心導体を機械的に挟持して、シグナルコンタクト部材が同軸ケーブルの中心導体に電気的に接続される状態が得られる。
【００１８】
このような本願発明に係る同軸コネクタ装置の一例にあっては、絶縁ハウジング部材にシグナルコンタクト部材の中心導体接続部が有する一対の可動当接部分を挟んで相互対向する一対の可動部が設けられており、グラウンドコンタクト部材のシェル部が環状嵌合部に向かって屈曲せしめられるとき、シェル部に設けられた一対の押圧部分が、絶縁ハウジング部材に設けられた一対の可動部に夫々係合してそれらを押圧し、シグナルコンタクト部材の中心導体接続部が有する一対の可動当接部分に一対の可動部を介して押圧作用を及ぼす。そして、シェル部に設けられた一対の押圧部分が、シグナルコンタクト部材の中心導体接続部が有する一対の可動当接部分に一対の可動部を介して押圧作用を及ぼすときには、一対の可動部がシグナルコンタクト部材の中心導体接続部が有する一対の可動当接部分に夫々当接して相互近接する移動を生じ、それにより一対の可動当接部分に相互近接する移動を生じさせる。
【発明の効果】
【００１９】
上述の本願発明に係る同軸コネクタ装置においては、シグナルコンタクト部材が同軸ケーブルの中心導体に電気的に接続されるとともにグラウンドコンタクト部材が同軸ケーブルの外側導体に電気的に接続されて同軸ケーブルの端部に装着されるにあたり、シグナルコンタクト部材の中心導体接続部が有する一対の可動当接部分が、内部絶縁体が先端部に残留せしめられて剥き出された同軸ケーブルの中心導体を、先端部に残留せしめられた内部絶縁体がシグナルコンタクト部材に設けられた絶縁体収容部に収容された状態のもとに、第３の方向において挟持し、それにより、シグナルコンタクト部材の中心導体接続部が同軸ケーブルの中心導体を機械的に挟持して、シグナルコンタクト部材が同軸ケーブルの中心導体に電気的に接続される状態が得られる。斯かるもとで、第３の方向は、同軸コネクタ装置が回路基板における部品搭載面に取り付けられた相手方コネクタ装置に連結されるとき、回路基板における部品搭載面に沿う方向、即ち、回路基板における部品搭載面から突出する方向となる同軸コネクタ装置の厚み方向に直交する方向とされる。
【００２０】
従って、本願発明に係る同軸コネクタ装置によれば、シグナルコンタクト部材の中心導体接続部が有する一対の可動当接部分が同軸ケーブルの中心導体を第３の方向において挟持するものとされることにより、回路基板における部品搭載面に取り付けられた相手方コネクタ装置に連結されたとき回路基板における部品搭載面から突出する方向の寸法となる厚み寸法を低減させる低背化を図ることが容易となる。
【００２１】
また、本願発明に係る同軸コネクタ装置にあっては、シグナルコンタクト部材の中心導体接続部が有する一対の可動当接部分によって挟持される同軸ケーブルの中心導体が、内部絶縁体が先端部に残留せしめられて剥き出されたものとされ、その先端部に残留せしめられた内部絶縁体がシグナルコンタクト部材に設けられた絶縁体収容部に収容された状態に置かれることにより、中心導体が多数の細導線が撚り合わされて成る撚線とされたもとで一対の可動当接部分によって直接的に挟持される状態におかれても、中心導体の先端部に残留せしめられた内部絶縁体により、撚線とされた中心導体が一対の可動当接部分から受ける押圧力によって撚りが戻された多数の細導線に散けたものとされてしまう事態が確実に阻止される。その結果、本願発明に係る同軸コネクタ装置によれば、同軸ケーブルの中心導体とシグナルコンタクト部材との電気的接続についての信頼性を向上させることができる。
【図面の簡単な説明】
【００２２】
【図１】本願発明に係る同軸コネクタ装置の一例を示す上面側から見た斜視図である。
【図２】本願発明に係る同軸コネクタ装置の一例を示す底面側から見た斜視図である。
【図３】本願発明に係る同軸コネクタ装置の一例が備える絶縁ハウジング部材を示す斜視図である。
【図４】本願発明に係る同軸コネクタ装置の一例が備える絶縁ハウジング部材を、その一部分が切除されるとともに他の部分が変位せしめられた状態をもって示す斜視図である。
【図５】本願発明に係る同軸コネクタ装置の一例が備えるシグナルコンタクト部材を示す斜視図である。
【図６】本願発明に係る同軸コネクタ装置の一例が備えるシグナルコンタクト部材を、その部分が変位せしめられた状態をもって示す斜視図である。
【図７】図３に示される絶縁ハウジング部材に図５に示されるシグナルコンタクト部材が組み付けられた状態を示す平面図である。
【図８】図１に示される同軸コネクタ装置の一例に同軸ケーブルの端部が配された状態を示す斜視図である。
【図９】図１に示される同軸コネクタ装置の一例に同軸ケーブルの端部が配された状態を示す側面図である。
【図１０】図９における X−X 線断面を示す断面図である。
【図１１】図１に示される同軸コネクタ装置の一例が同軸ケーブルの端部に装着された状態を示す側面図である。
【図１２】図１に示される同軸コネクタ装置の一例が同軸ケーブルの端部に装着された状態を一部分が切除された状態をもって示す斜視図である。
【図１３】図１１におけるXIII−XI11線断面を示す断面図である。
【発明を実施するための形態】
【００２３】
本願発明を実施するための形態は、以下に述べられる本願発明についての実施例をもって説明される。
【実施例】
【００２４】
図１及び図２は、本願発明に係る同軸コネクタ装置の一例を示す。図１及び図２に示される本願発明に係る同軸コネクタ装置の一例を成す同軸コネクタ装置１０は、実際の使用にあたっては、後述される同軸ケーブルの一端部に装着されて、回路基板における部品搭載面に取り付けられた相手方コネクタ装置 (図示省略）に連結されるものとされている。
【００２５】
同軸コネクタ装置１０は、主要構成要素として、導電性材料により形成されて、中心導体と外側導体とを有した同軸ケーブルの中心導体に電気的に接続されるシグナルコンタクト部材１１と、導電性材料により形成されて、中心導体と外側導体とを有した同軸ケーブルの外側導体に電気的に接続されるグラウンドコンタクト部材１２と、合成樹脂材等の絶縁材料により形成されて、シグナルコンタクト部材１１とグラウンドコンタクト部材１２とを相互絶縁状態をもって支持する絶縁ハウジング部材１３とを備えて構成される。同軸ケーブルは、その一端部において中心導体及び外側導体の夫々が部分的に露出せしめられ、露出した中心導体にシグナルコンタクト部材１１が接続されるとともに、露出した外側導体にグラウンドコンタクト部材１２が接続されて、同軸コネクタ装置１０が同軸ケーブルの一端部に装着された状態におかれる。
【００２６】
絶縁ハウジング部材１３は、図２及び絶縁ハウジング部材１３を単独で示す図３に示されるように、外周面１５が円筒面状を成すものとされ、中央部に透孔１６が形成されるとともに、透孔１６に連なる内部空間１７が形成された基部１８と、基部１８の一端から折曲可能に伸び、基部１８に向かって折り曲げられるものとされる折曲当接部１９を有している。基部１８は、シグナルコンタクト部材１１を内部空間１７に配されたものとして支持するものとされている。折曲当接部１９は、全体として平板状部を成しており、基部１８に向かって折り曲げられたとき、基部１８によって支持されたシグナルコンタクト部材１１の端部に当接するものとされている。
【００２７】
また、絶縁ハウジング部材１３の基部１８には、内部空間１７を挟んで相互対向する一対の可動部２０が設けられており、一対の可動部２０の夫々は、基部１８の外方に向かって突出する傾斜面を有した突出係合部分２０ａと、基部１８によって支持されたシグナルコンタクト部材１１に当接するものとされた当接部分２０ｂとを有している。一対の可動部２０は、各々の一端部が相互対向する一対の当接部分２０ｂを形成しており、また、各々の他端部が折曲当接部１９の基部１８との連結部１９ａを挟む位置に固定されていて、各可動部２０は、固定された他端部を支点として突出係合部分２０ａを伴った揺動が可能とされている。それにより、一対の可動部２０は、図３に示されるような、一対の当接部分２０ｂの相互間距離が比較的大とされる第１の静止位置と、斯かる第１の静止位置から相互に近接するように揺動せしめられて移行する、図４に示されるような、一対の当接部分２０ｂの相互間距離が比較的小とされる第２の静止位置と、をとり得るものとされている。
【００２８】
さらに、絶縁ハウジング部材１３の基部１８には、内部空間１７に通じる溝２１が形成されており、溝２１は、同軸コネクタ装置１０が同軸ケーブルの一端部に装着される際に同軸ケーブルの中心導体を収容して位置規制する役割を果たす。
【００２９】
図５に示されるように、シグナルコンタクト部材１１は、同軸ケーブルの中心導体との電気的接続がなされる一対の可動当接部分２３と平板状部分２４とを有した中心導体接続部２５と、中心導体接続部２５が有する平板状部分２４から伸びる一対の相互対向弾性接触片によって形成され、外部のシグナルコンタクト部に接触接続される接触係合部２６とを有しており、さらに、シグナルコンタクト部材１１における中心導体接続部２５の近傍には、絶縁体収容部２７が設けられている。中心導体接続部２５が有する一対の可動当接部分２３は、各々がシグナルコンタクト部材１１の絶縁体収容部２７側から中心導体接続部２５が有する平板状部分２４に沿う方向に伸びて相互対向する一対の弾性舌片により形成されていて、相互近接もしくは相互離隔する移動を生じ得るものとされている。それにより、一対の可動当接部分２３は、図５に示されるような、相互間距離が比較的大とされる第１の対向位置と、斯かる第１の対向位置から相互に近接するように移動せしめられて、図６に示されるような、相互間距離が比較的小とされる第２の対向位置とをとり得ることになる。
【００３０】
中心導体接続部２５が有する平板状部分２４から伸びる接触係合部２６は、例えば、同軸コネクタ装置１０に対する相手方コネクタ装置となる回路基板における部品搭載面に取り付けられたコネクタ装置のシグナルコンタクト部とされる外部のコンタクト部に接触接続される。その際には、シグナルコンタクト部材１１が、絶縁ハウジング１３の基部１８における内部空間１７に配されて基部１８により支持されたもとで、接触係合部２６が、当該基部１８における透孔１６を貫通して外部のシグナルコンタクト部に達するものとされる。
【００３１】
上述のような一対の可動当接部分２３と平板状部分２４とを有した中心導体接続部２５と中心導体接続部２５の平板状部分２４から伸びる一対の相互対向弾性接触片によって形成される接触係合部２６とを有し、中心導体接続部２５の近傍に絶縁体収容部２７が設けられて成るシグナルコンタクト部材１１は、例えば、弾性金属板材に打抜き折曲げ加工が施されることにより一体的に形成される。
【００３２】
さらに、図１及び図２に示されるように、グラウンドコンタクト部材１２は、湾曲部分３０を含んで絶縁ハウジング部材１３の基部１８を包囲する環状嵌合部３１と、環状嵌合部３１の湾曲部分３０の一端から折曲可能に伸びるシェル部３２と、環状嵌合部３１の湾曲部分３０におけるシェル部３２が伸びる部分に対向する部分から伸びるケーブル支持部３３とを有している。環状嵌合部３１の湾曲部分３０には、絶縁ハウジング部材１３の基部１８に設けられた一対の可動部２０が夫々有する一対の突出係合部分２０ａの各々が挿入される切欠き３０ａが設けられている。
【００３３】
シェル部３２は、それに沿って絶縁ハウジング部材１３における折曲当接部１９が伸びることになるものとされており、環状嵌合部３１の湾曲部分３０に向けて屈曲せしめられるとき、それに伴って絶縁ハウジング部材１３における折曲当接部１９を屈曲させるとともに、中心導体がシグナルコンタクト部材１１の中心導体接続部２５に接続された同軸ケーブルの外側導体との接続がなされる。また、ケーブル支持部３３は、中心導体がシグナルコンタクト部材１１の中心導体接続部２５に接続された同軸ケーブルの外側導体に接触して当該同軸ケーブルを支持する役割を果たす。
【００３４】
そして、シェル部３２には、環状嵌合部３１の湾曲部分３０に向けて屈曲せしめられるとき、絶縁ハウジング部材１３の基部１８に設けられた一対の可動部２０が夫々有する一対の突出係合部分２０ａの傾斜面に夫々係合して、一対の突出係合部分２０ａの各々をグラウンドコンタクト部材１２における環状嵌合部３１の湾曲部分３０の外側から内側に向かう方向に押圧する、一対の押圧部分３４が相互対向するものとして設けられている。このように、シェル部３２に設けられた一対の押圧部分３４が絶縁ハウジング部材１３の基部１８に設けられた一対の可動部２０が夫々有する一対の突出係合部分２０ａの傾斜面に夫々係合する際には、一対の可動部２０は、図３に示されるような、一対の当接部分２０ｂの相互間距離が比較的大とされる第１の静止位置をとるものとされており、その後、一対の押圧部分３４が一対の突出係合部分２０ａの各々をグラウンドコンタクト部材１２における環状嵌合部３１の湾曲部分３０の外側から内側に向かう方向に押圧すると、それにより、一対の可動部２０が相互に近接するように揺動せしめられて、第１の静止位置から、図４に示されるような、一対の当接部分２０ｂの相互間距離が比較的小とされる第２の静止位置へと移行せしめられる。
【００３５】
さらに、シェル部３２には、折り曲げられて、ケーブル支持部３３に係合することになる一対の第１の折曲係合部３５、及び、折り曲げられて、中心導体がシグナルコンタクト部材１１の中心導体接続部２５に接続された同軸ケーブルの表皮絶縁体に係合することになる一対の第２の折曲係合部３６が設けられている。
【００３６】
図７は、図３に示される絶縁ハウジング部材１３に図５に示されるシグナルコンタクト部材１１が組み付けられた状態を示す。斯かるもとでは、シグナルコンタクト部材１１は、絶縁ハウジング部材１３の基部１８に設けられた内部空間１７に配されて基部１８により支持されている。このとき、シグナルコンタクト部材１１における中心導体接続部２５が有する平板状部分２４から伸びる一対の接触係合部２６（図７には現れていない）は、絶縁ハウジング部材１３の基部１８に設けられた透孔１６を通じて図７において紙面に直交する方向となる第１の方向に伸びている。また、絶縁ハウジング部材１３の基部１８に設けられた一対の可動部２０が、それらが夫々有する一対の当接部分２０ｂを、シグナルコンタクト部材１１の中心導体接続部２５が有する一対の可動当接部分２３の先端部分に外側から近接もしくは当接させて、一対の可動当接部分２３をそれらの外側から挟んで相互対向する位置に配される。
【００３７】
そして、シグナルコンタクト部材１１を支持した絶縁ハウジング部材１３の基部１８が、グラウンドコンタクト部材１２の環状嵌合部３１の内側に配されて環状嵌合部３１により包囲される状態をもって、グラウンドコンタクト部材１２をシグナルコンタクト部材１１から絶縁されたものとして支持するものとされ、それにより同軸コネクタ装置１０が組み立てられる。
【００３８】
上述のようにして、絶縁ハウジング部材１３にシグナルコンタクト部材１１が組み付けられるとともに絶縁ハウジング部材１３の基部１８がグラウンドコンタクト部材１２の環状嵌合部３１により包囲される状態をもって、シグナルコンタクト部材１１とグラウンドコンタクト部材１２とが絶縁ハウジング部材１３により支持されて構成された同軸コネクタ装置１０が、同軸ケーブルの一端部に装着されるときには、図８，図９及び図９におけるX-X 線断面を示す図１０に示されるように、同軸ケーブル４１の一端部が同軸コネクタ装置１０のシグナルコンタクト部材１１，グラウンドコンタクト部材１２及び絶縁ハウジング部材１３に係合せしめられる。同軸ケーブル４１は、中心導体４２と、中心導体４２を覆う内部絶縁体４３と、内部絶縁体４３を包囲する外側導体４４と、外側導体４４を覆う表皮絶縁体４５とを有しており、中心導体４２は、多数の細導線が撚り合わされて成る撚線とされている。そして、同軸ケーブル４１の一端部においては、表皮絶縁体４５，外側導体４４及び内部絶縁体４３が部分的に切除されて、中心導体４２がその先端部に内部絶縁体４３が残留せしめられた状態をもって剥き出されており、また、内部絶縁体４３及び外側導体４４も部分的に露出せしめられている。
【００３９】
そして、同軸コネクタ装置１０においては、シグナルコンタクト部材１１に、内部絶縁体４３が先端部に残留せしめられて剥き出された同軸ケーブル４１の中心導体４２が、シグナルコンタクト部材１１における一対の接触係合部２６が伸びる方向である第１の方向に直交する第２の方向に沿って載置される。このとき、中心導体４２の先端部に残留せしめられた内部絶縁体４３が、シグナルコンタクト部材１１に設けられた絶縁体収容部２７に収容されて、中心導体４２が、シグナルコンタクト部材１１の中心導体接続部２５が有する平板状部分２４により直接的に支持されて、シグナルコンタクト部材１１の中心導体接続部２５が有する一対の可動当接部分２３の間に配される。従って、シグナルコンタクト部材１１の中心導体接続部２５が有する一対の可動当接部分２３は、内部絶縁体４３が残留せしめられた先端部を有した同軸ケーブル４１の中心導体４２を、第１の方向及び第２の方向の両者に直交する第３の方向において挟んで相互対向するものとなる。
【００４０】
さらに、内部絶縁体４３が残留せしめられた先端部を有した同軸ケーブル４１の中心導体４２は、絶縁ハウジング部材１３の基部１８に形成された溝２１内に配されて位置規制される。また、同軸ケーブル４１の外側導体４４が、グラウンドコンタクト部材１２における環状嵌合部３１の湾曲部分３０から伸びるケーブル支持部３３によって支持される。
【００４１】
このようにして、同軸ケーブル４１の一端部が同軸コネクタ装置１０のシグナルコンタクト部材１１，グラウンドコンタクト部材１２及び絶縁ハウジング部材１３に係合せしめられたもとで、図１１に示されるように、グラウンドコンタクト部材１２におけるシェル部３２が、グラウンドコンタクト部材１２における環状嵌合部３１の湾曲部分３０に向けて、絶縁ハウジング部材１３における折曲当接部１９を伴って屈曲せしめられ、ケーブル支持部３３と略平行となる位置をとるものとされ、その後、シェル部３２に設けられた一対の第１の折曲係合部３５及び一対の第２の折曲係合部３６が夫々折り曲げられて、一対の第１の折曲係合部３５がグラウンドコンタクト部材１２におけるケーブル支持部３３に係合し、また、一対の第２の折曲係合部３６が同軸ケーブル４１の表皮絶縁体４５に係合する状態がとられる。
【００４２】
そして、グラウンドコンタクト部材１２におけるシェル部３２が、グラウンドコンタクト部材１２における環状嵌合部３１の湾曲部分３０に向けて屈曲せしめられてケーブル支持部３３と略平行となる位置をとるものとされることにより、シェル部３２に設けられた一対の押圧部分３４が、絶縁ハウジング部材１３の基部１８に設けられた一対の可動部２０が夫々有する一対の突出係合部分２０ａの傾斜面に夫々係合して、一対の突出係合部分２０ａの各々をグラウンドコンタクト部材１２における環状嵌合部３１の湾曲部分３０の外側から内側に向かう方向に押圧する。シェル部３２に設けられた一対の押圧部分３４が絶縁ハウジング部材１３の基部１８に設けられた一対の可動部２０が夫々有する一対の突出係合部分２０ａの傾斜面に夫々係合する際には、一対の可動部２０は、各々が有する一対の当接部分２０ｂの相互間距離が比較的大とされる第１の静止位置をとるものとされており、その後、一対の押圧部分３４が一対の突出係合部分２０ａの各々をグラウンドコンタクト部材１２における環状嵌合部３１の湾曲部分３０の外側から内側に向かう方向に押圧すると、それにより、一対の可動部２０が、相互に近接するように揺動せしめられて、第１の静止位置から、各々が有する一対の当接部分２０ｂの相互間距離が比較的小とされる第２の静止位置へと移行せしめられる。
【００４３】
それにより、絶縁ハウジング部材１３の基部１８に設けられた一対の可動部２０が夫々有する一対の当接部分２０ｂが、シグナルコンタクト部材１１における中心導体接続部２５が有する一対の可動当接部分２３にそれらを外側から押圧する押圧作用を及ぼし、外側から押圧された一対の可動当接部分２３が、図１２及び図１３に示されるように、相互間距離が比較的大とされる第１の対向位置から相互に近接するように移動せしめられて、相互間距離が比較的小とされる第２の対向位置ヘと移行せしめられる。このようにして相互間距離が比較的小とされる第２の対向位置ヘと移行せしめられた一対の可動当接部分２３は、それらの間に配された同軸ケーブル４１の中心導体４２を、第１の方向及び第２の方向の両者に直交する第３の方向において挟持する。それにより、一対の可動当接部分２３を有したシグナルコンタクト部材１１における中心導体接続部２５が、同軸ケーブル４１の中心導体４２を機械的に挟持することにより、当該同軸ケーブル４１の中心導体４２との電気的接続がなされたものとされる。
【００４４】
斯かる際、同軸ケーブル４１の中心導体４２は、撚線であってシグナルコンタクト部材１１における中心導体接続部２５が有する一対の可動当接部分２３により直接的に挟持されるものとされるが、その先端部に内部絶縁体４３が残存せしめられているので、一対の可動当接部分２３から受ける押圧力によって撚りが戻された多数の細導線に散けたものとされてしまう虞はない。
【００４５】
なお、グラウンドコンタクト部材１２におけるシェル部３２が、グラウンドコンタクト部材１２における環状嵌合部３１の湾曲部分３０に向けて屈曲せしめられてケーブル支持部３３と略平行となる位置をとるものとされるとき、シェル部３２に伴って屈曲せしめられる絶縁ハウジング部材１３における折曲当接部１９は、シグナルコンタクト部材１１における中心導体接続部２５が有する一対の可動当接部分２３に当接し、同軸ケーブル４１の中心導体４２を挟持した一対の可動当接部分２３に対する位置規制を行う。
【００４６】
また、シェル部３２に設けられた一対の第１の折曲係合部３５が夫々折り曲げられてグラウンドコンタクト部材１２におけるケーブル支持部３３に係合する状態がとられることにより、グラウンドコンタクト部材１２が、そのケーブル支持部３３により支持された同軸ケーブル４１の外側導体４４との電気的接続が堅固になされたものとされる。
【００４７】
上述のようにして、同軸コネクタ装置１０が同軸ケーブル４１の一端部に装着された状態が得られる。そして、同軸ケーブル４１の一端部に装着された同軸コネクタ装置１０は、例えば、回路基板の部品搭載面に取り付けられた相手方コネクタ装置に連結されて使用される。その際には、先ず、回路基板に装着された相手方コネクタ装置に対して、同軸コネクタ装置１０が、その絶縁ハウジング部材１３の基部１８及びそれを包囲するグラウンドコンタクト部材１２の環状嵌合部３１に、相手方コネクタ装置の環状グラウンドコンタクト部に対応する位置をとらせるものとして配される。その後、同軸コネクタ装置１０が、相手方コネクタ装置が取り付けられた回路基板の部品搭載面に向けて移動せしめられて、相手方コネクタ装置に連結される。
【００４８】
同軸コネクタ装置１０が相手方コネクタ装置に連結されたもとにあっては、同軸コネクタ装置１０におけるグラウンドコンタクト部材１２の環状嵌合部３１が、相手方コネクタ装置の環状グラウンドコンタクト部に嵌合接続せしめられるとともに、同軸コネクタ装置１０における絶縁ハウジング部材１３における基部１８が、相手方コネクタ装置における環状グラウンドコンタクト部を支持する絶縁基体に形成された透孔内に配され、その基部１８における透孔１６が開口する端面が、回路基板の部品搭載面に対接するものとされる。それにより、例えば、絶縁ハウジング部材１３における基部１８の透孔１６内に配された、同軸コネクタ装置１０におけるシグナルコンタクト部材１１の一対の接触係合部２６が、相手方コネクタ装置における環状グラウンドコンタクト部により包囲されたシグナルコンタクト部に接触接続される。
【００４９】
このようにして、同軸ケーブル４１の一端部に装着された同軸コネクタ装置１０が回路基板の部品搭載面に取り付けられた相手方コネクタ装置に連結されたもとにあっては、上述の第２の方向及び第３の方向が、各々が回路基板における部品搭載面に沿い、かつ、互いに直交する方向、即ち、回路基板における部品搭載面から突出する方向となる同軸コネクタ装置１０の厚み方向に直交する方向とされ、また、第１の方向が、回路基板における部品搭載面に直交する方向、即ち、回路基板における部品搭載面から突出する方向となる同軸コネクタ装置１０の厚み方向とされる。
【００５０】
上述のような本願発明に係る同軸コネクタ装置の一例を成す同軸コネクタ装置１０においては、シグナルコンタクト部材１１が同軸ケーブル４１の中心導体４２に電気的に接続されるとともにグラウンドコンタクト部材１２が同軸ケーブル４１の外側導体４４に電気的に接続されて同軸ケーブル４１の一端部に装着されるにあたり、シグナルコンタクト部材１１における中心導体接続部２５が有する一対の可動当接部分２３が、内部絶縁体４３が先端部に残留せしめられて剥き出された同軸ケーブル４１の中心導体４２を、先端部に残留せしめられた内部絶縁体４３がシグナルコンタクト部材１１に設けられた絶縁体収容部２７に収容された状態のもとに、第３の方向において挟持し、それにより、シグナルコンタクト部材１１における中心導体接続部２５が同軸ケーブル４１の中心導体４３を機械的に挟持して、シグナルコンタクト部材１１が同軸ケーブル４１の中心導体４２に電気的に接続される状態が得られる。斯かるもとで、第３の方向は、同軸コネクタ装置１０が回路基板における部品搭載面に取り付けられた相手方コネクタ装置に連結されるとき、回路基板における部品搭載面に沿う方向、即ち、回路基板における部品搭載面から突出する方向となる同軸コネクタ装置１０の厚み方向に直交する方向とされる。
【００５１】
従って、本願発明に係る同軸コネクタ装置１０によれば、シグナルコンタクト部材１１における中心導体接続部２５が有する一対の可動当接部分２３が同軸ケーブル４１の中心導体４２を第３の方向において挟持するものとされることにより、回路基板における部品搭載面に取り付けられた相手方コネクタ装置に連結されたとき回路基板における部品搭載面から突出する方向の寸法となる厚み寸法を低減させる低背化を図ることが容易とされる。
【００５２】
また、本願発明に係る同軸コネクタ装置１０にあっては、シグナルコンタクト部材１１における中心導体接続部２５が有する一対の可動当接部分２３によって挟持される同軸ケーブル４１の中心導体４２が、内部絶縁体４３が先端部に残留せしめられて剥き出されたものとされ、その先端部に残留せしめられた内部絶縁体４３がシグナルコンタクト部材１１に設けられた絶縁体収容部２７に収容された状態に置かれることにより、中心導体４２が多数の細導線が撚り合わされて成る撚線とされたもとで一対の可動当接部分２３によって直接的に挟持される状態におかれても、中心導体４２の先端部に残留せしめられた内部絶縁体４３により、撚線とされた中心導体４２が一対の可動当接部分２３から受ける押圧力によって撚りが戻された多数の細導線に散けたものとされてしまう事態が確実に阻止される。その結果、本願発明に係る同軸コネクタ装置１０によれば、同軸ケーブル４１の中心導体４２とシグナルコンタクト部材１１との電気的接続についての信頼性を向上させることができる。
【産業上の利用可能性】
【００５３】
以上のような本願発明に係る同軸コネクタ装置は、同軸ケーブルの中心導体に接続されるシグナルコンタクト部材と、同軸ケーブルの外側導体に接続されるグラウンドコンタクト部材と、コンタクト部材とグラウンドコンタクト部材とを相互絶縁状態をもって支持する絶縁ハウジング部材とを備えて構成されるもとで、回路基板における部品搭載面に取り付けられた相手方コネクタ装置に連結されたとき回路基板における部品搭載面から突出する方向の寸法となる厚み寸法を低減させる低背化を図ることが容易とされ、しかも、同軸ケーブルの中心導体とシグナルコンタクト部材との電気的接続についての信頼性を向上させることができるものとして、各種の電子機器等に広く適用され得るものである。
【符号の説明】
【００５４】
１０・・・同軸コネクタ装置，    １１・・・シグナルコンタクト部材，  １２・・・グラウンドコンタクト部材，  １３・・・絶縁ハウジング部材，  １６・・・透孔，  １７・・・内部空間，  １８・・・基部、  １９・・・折曲当接部，  １９ａ・・・連結部，  ２０・・・可動部，  ２０ａ・・・突出係合部分，  ２０ｂ・・・当接部分，  ２１・・・溝，  ２３・・・可動当接部分，  ２４・・・平板状部，  ２５・・・中心導体接続部，  ２６・・・接触係合部，  ２７・・・絶縁体収容部，  ３０・・・湾曲部分，  ３０ａ・・・切欠き，  ３１・・・環状嵌合部,   ３２・・・シェル部，  ３３・・・ケーブル支持部，  ３４・・・押圧部分，  ３５・・・第１の折曲係合部，  ３６・・・第２の折曲係合部，  ４１・・・同軸ケーブル，  ４２・・・中心導体，    ４３・・・内部絶縁体，  ４４・・・外側導体，  ４５・・・表皮絶縁体
【図１】
2015125963.tif 000003
【図２】
2015125963.tif 000004
【図３】
2015125963.tif 000005
【図４】
2015125963.tif 000006
【図５】
2015125963.tif 000007
【図６】
2015125963.tif 000008
【図７】
2015125963.tif 000009
【図８】
2015125963.tif 000010
【図９】
2015125963.tif 000011
【図１０】
2015125963.tif 000012
【図１１】
2015125963.tif 000013
【図１２】
2015125963.tif 000014
【図１３】
2015125963.tif 000015